(57)【要約】【課題】逆止弁等が不要になり、循環経路が簡略化する循環式浴槽を提供する。【解決手段】浴水を循環させる循環経路６を有する循環式浴槽において、浴槽２から浴水を排出した後に、循環経路６内の残水を排出するエアーパージ装置８を備え、このエアーパージ装置８は、浴槽２のフランジ部２ａよりも上方に設置されている。エアーパージ装置８によって、循環経路６の内部に高圧エアーが送給されることで、循環経路６の内部の残水がエアー圧で排出されるとともに、循環経路６の内部がエアー風で乾燥されるようになる結果、循環経路６の内部に残水が無くなるとともに、乾燥もされるので、水垢等が付着しにくくなって、衛生的になる。【選択図】図１
2008237259.tif 000002
【特許請求の範囲】
【請求項１】
浴水を循環させる循環経路を有する循環式浴槽において、
前記浴槽から浴水を排出した後に、循環経路内の残水を排出するエアーパージ装置を備え、このエアーパージ装置は、浴槽のフランジ部よりも上方に設置されていることを特徴とする循環式浴槽。
【請求項２】
前記エアーパージ装置は、浴室の外部である天井上部に設置されていることを特徴とする請求項１に記載の循環式浴槽。
【請求項３】
前記循環経路に微細気泡発生装置が備えられて、前記エアーパージ装置は、浴槽から吸引した浴水に空気を混入する空気吸引部に接続されていることを特徴とする請求項１または２に記載の循環式浴槽。
【請求項４】
前記浴槽から浴水が排出されたことを検出する水位検出センサーが設けられ、このセンサーの検出情報でエアーパージ装置が駆動されることを特徴とする請求項１〜３のいずれか一項に記載の循環式浴槽。
【発明の詳細な説明】
【技術分野】
【０００１】
本発明は、循環経路内の残水を排出するエアーパージ装置を備えた循環式浴槽に関する。
【背景技術】
【０００２】
従来、浴水を循環させる循環経路を有する循環式浴槽において、浴槽から浴水を排出した後に、循環経路内の残水を排出する空気吹き出し手段を備えて、循環経路内の残水の凍結防止を図るものがある（特許文献１参照）。
【特許文献１】実開平５−９０２５１号公報
【発明の開示】
【発明が解決しようとする課題】
【０００３】
しかしながら、背景技術では、浴槽のフランジ部（浴槽の最大水位）よりも下方位置に空気吹き出し手段（空気ポンプや空気タンク等）が設置されているから、浴槽に浴水が入っている状態では、浴水が空気吹き出し手段に入り込むおそれがあるので、逆止弁等が必要になり、循環経路が複雑化するという問題があった。
【０００４】
本発明は、前記問題を解消するためになされたもので、逆止弁等が不要になり、循環経路が簡略化する循環式浴槽を提供することを目的とするものである。
【課題を解決するための手段】
【０００５】
前記課題を解決するために、本発明は、浴水を循環させる循環経路を有する循環式浴槽において、前記浴槽から浴水を排出した後に、循環経路内の残水を排出するエアーパージ装置を備え、このエアーパージ装置は、浴槽のフランジ部よりも上方に設置されていることを特徴とする循環式浴槽を提供するものである。
【０００６】
請求項２のように、前記エアーパージ装置は、浴室の外部である天井上部に設置されていることが好ましい。
【０００７】
請求項３のように、前記循環経路に微細気泡発生装置が備えられて、前記エアーパージ装置は、浴槽から吸引した浴水に空気を混入する空気吸引部に接続されていることが好ましい。
【０００８】
請求項４のように、前記浴槽から浴水が排出されたことを検出する水位検出センサーが設けられ、このセンサーの検出情報でエアーパージ装置が駆動されることが好ましい。
【発明の効果】
【０００９】
本発明によれば、エアーパージ装置によって、循環経路の内部に高圧エアーが送給されることで、循環経路の内部の残水がエアー圧で排出されるとともに、循環経路の内部がエアー風で乾燥されるようになる結果、循環経路の内部に残水が無くなるとともに、乾燥もされるので、水垢等が付着しにくくなって、衛生的になる。また、エアーパージ装置は、浴槽のフランジ部よりも上方に設置しているので、浴槽に浴水が入っている状態であっても、高低差により浴水がエアーパージ装置に入り込むおそれがないので、逆止弁等が不要になり、循環経路が簡略化する。
【００１０】
請求項２によれば、エアーパージ装置を浴室の天井上部に設置しているので、既存の天井点検口を利用して、エアーパージ装置の点検ができるようになる。
【００１１】
請求項３によれば、循環経路の空気吸引部（エゼクター）にエアー送給経路を接続することで、空気吸引部以外は、経路口径が比較的太くて残水が少ないのに対して、空気吸引部は、経路口径が比較的細くて残水が多いことから、空気吸引部の残水を集中的に排出して乾燥させることができる。
【００１２】
請求項４によれば、水位検出センサーで浴槽から浴水が排出されたことが検出された後に、エアーパージ装置を自動的に駆動できるので、スイッチ等を操作する手間等が不要になる。
【発明を実施するための最良の形態】
【００１３】
以下、本発明を実施するための最良の形態について、図面を参照しながら詳細に説明する。
【００１４】
図１は、第１実施形態の循環式浴槽であり、浴室１の内部の床面側には浴槽２が設置されている。この浴槽２のフランジ部２ａは、浴槽２の最大水位ＷＬ１であり、通常は、浴槽２の７〜８分目程度の水位ＷＬ２で使用されるようになる。
【００１５】
浴槽２の側壁２ｂには、吸込口３と吐出口４とが形成されて、浴槽２の外部には、吸込口３から吸い込んだ浴水を吐出口４から吐出させるようにポンプ５で循環させる循環経路６が設けられている。この循環経路６内には、浴槽２から浴水が排出された（つまり、吸込口３よりも下方の水位ＷＬ３になった）ことを検出する水位検出センサー（フロート弁、電極、圧力センサー等）７が設けられている。
【００１６】
浴槽２のフランジ部２ａよりも上方、例えば浴室１の外部である天井１ａの上部には、エアーパージ装置８が設置されている。このエアーパージ装置８は、エアーポンプであって、そのエアー送給経路９が循環経路６の吐出口４の付近に接続され、吐出口４に向かって高圧エアーを噴出するようになっている。
【００１７】
エアーパージ装置は、信号ライン１０で水位検出センサー７に接続されて、このセンサー７の検出情報、つまり浴槽２から浴水が排出されたことが検出されたときに、エアーパージ装置８が駆動されるようになっている。
【００１８】
前記のように構成すれば、浴槽２から浴水が排出されたことが水位検出センサー７で検出されると、エアーパージ装置８が駆動されて、エアー送給経路９から循環経路６の吐出口４の付近に高圧エアーが送給され、この高圧エアーは、吐出口４から浴槽２内に噴出するようになる。
【００１９】
高圧エアーが吐出口４から噴出されることで、循環経路６の内部が負圧になるから、吸込口３から浴槽２内のエアーが循環経路６の内部に吸い込まれて、吐出口４からエアーパージ装置８からの高圧エアーとともに浴槽２内に噴出されるようになる。
【００２０】
このように、エアーパージ装置８によって、循環経路６の内部に高圧エアーが送給されることで、循環経路６の内部の残水がエアー圧で吐出口４から浴槽２内に排出されるとともに、循環経路６の内部がエアー風で乾燥されるようになる。
【００２１】
この結果、循環経路６の内部に残水が無くなるとともに、乾燥もされるので、水垢等が付着しにくくなって、衛生的になる。
【００２２】
また、エアーパージ装置８は、浴槽２のフランジ部２ａよりも上方、具体的には、浴室１の外部である天井１ａの上部に設置しているので、浴槽２に浴水が入っている状態であっても、高低差により浴水がエアーパージ装置８に入り込むおそれがないので、逆止弁等が不要になり、循環経路６が簡略化する。
【００２３】
さらに、水位検出センサー７で浴槽２から浴水が排出されたことが検出された後に、エアーパージ装置８を自動的に駆動できるので、スイッチ等を操作する手間等が不要になる。
【００２４】
図２は、第２実施形態の循環式浴槽であり、第１実施形態の循環式浴槽と相違するのは、循環経路６に微細気泡発生装置１２が備えられている点である。
【００２５】
図３に示すように、浴槽２の吸込口３は、接続管１９を介して空気吸引部（エゼクタ−）２０の入口に接続され、この空気吸引部２０の出口は、接続管２１を介してポンプ５に接続されている。空気吸引部２０の側部には、酸素富化装置１７の接続管１８が接続されている。
【００２６】
ポンプ５は、接続管２３を介して気液溶解タンク２４の上部に設けられた噴霧ノズル２５に接続されていて、この気液溶解タンク２４には、空気抜き弁２６が設けられている。
【００２７】
気液溶解タンク２４の下部は、接続管２７を介して吐出口４に接続され、この吐出口４には、減圧弁である微細気泡発生ノズル２８が設置されている。
【００２８】
そして、スイッチ操作でポンプ５を駆動すれば、吸込口３から接続管１９，２１を介して浴槽２内の浴水がポンプ５に吸水されるとともに、その途中で、空気吸引部（エゼクタ−）２０の負圧作用により、接続管１８を介して酸素富化装置１７から取入れられた高酸素濃度の空気が浴水に混入されるようになる。
【００２９】
この空気が混入された浴水は、ポンプ５から接続管２３を介して噴霧ノズル２５から気液溶解タンク２４内に噴出されることでバブリング状態となる。この気液溶解タンク２４内の余剰空気は、空気抜き弁２６からタンク外部に排出される。
【００３０】
この気液溶解タンク２４内の浴水は、接続管２７を介して微細気泡発生ノズル２８で白濁の濃い微細気泡を含む浴水に変換されながら、吐出口４から浴槽２内に吐出されるようになる。
【００３１】
このような浴水の循環を繰り返すことで浴槽２内は、微細気泡の浴水で満たされるようになる。
【００３２】
そして、エアーパージ装置８のエアー送給経路９は、浴槽２から吸引した浴水に空気を混入する空気吸引部（エゼクター）２０に接続している。
【００３３】
このように、微細気泡発生装置１２を備えた循環経路６の空気吸引部（エゼクター）２０にエアー送給経路９を接続すれば、空気吸引部２０以外は、経路口径が比較的太くて残水が少ないのに対して、空気吸引部２０は、経路口径が比較的細くて残水が多いことから、空気吸引部２０の残水を集中的に排出して乾燥させることができる。
【図面の簡単な説明】
【００３４】
【図１】本発明の第１実施形態に係る循環式浴槽のシステム図である。
【図２】本発明の第２実施形態に係る循環式浴槽のシステム図である。
【図３】微細気泡発生蔵置のシステム図である。
【符号の説明】
【００３５】
１    浴室
１ａ  天井
２    浴槽
２ａ  フランジ部
３    吸込口
４    吐出口
５    ポンプ
６    循環経路
７    水位検出センサー
８    エアーパージ装置
９    エアー送給経路
１２  微細気泡発生装置
２０  空気吸引部
【図１】
2008237259.tif 000003
【図２】
2008237259.tif 000004
【図３】
2008237259.tif 000005